Podtech/llm-jp-corpus-v4-ja_patent huggingface dataset:
(57)【要約】      （修正有）【課題】マンション等の玄関のドアに使用する防犯グッズで、特にマンションは密閉性が高く、通気性が悪いので、玄関のドアを開けて換気をしたいが、ドアを開けたままでは防犯上危険であった。そこで、ドアチェーンやアームロックを使用したまま換気ができるドア挟み具に関するものである。【解決手段】本発明のドア挟み具は、ドアと玄関入り口のすき間に、ピッタリ合うサイズのヘッドの部分（差し込み部分）３と、立ったまま操作しやすいような形をしたグリップ１と、その間にしゃがまずに使用できる長さのシャフト２を設けた。【選択図】  図１
2006090111.tif 000002
【特許請求の範囲】
【請求項１】
シャフト（２）の上部にグリップ（１）を設け、シャフト（２）の下部にヘッド（３）を設けたドア挟み具。
【発明の詳細な説明】
【技術分野】
【０００１】  本発明はマンション等の玄関のドアに使用する防犯グッズで、室内の安全を図りつつ、通気を良くするもので、ドアと玄関のすき間に、ピッタリ合うサイズのヘッドの部分（差し込み部分）と、立ったまま操作しやすいような形状をしたグリップとの間に、しゃがまずに使用できる長さのシャフトを設けたドア挟み具に関するものである。
【背景技術】
【０００２】  従来、マンション等において、室内の通気を良くするため、ドアを開けたままの状態にしておきたいが、防犯上問題があった。
【発明の開示】
【発明が解決しようとする課題】
【０００３】  特にマンションにおいては、密閉度が高く、通気性が悪いので、玄関ドアを開けて換気をしたいが、開たままにするのは防犯上危険であった。
そこで、ドアにチェンロック、アームロックを使用したまま、通気を良くすることが必要であった。
そのためにドアに本や靴を挟む方法も考えられるが、美観上良くなかった。
以上の問題を解決するために発明した。
【課題を解決する為の手段】
【０００４】  シャフト（２）の上部にグリップ（１）を設け、シャフト（２）の下部にヘッド（３）を設ける。
以上のように構成されたドア挟み具。
【発明の効果】
【０００５】  ドアをチェンロック、アームロックをしたままで、通気が出来るので防犯上も安全である。
つまり、室内の安全を図りつつ通気を良くすることができる。
このドア挟み器の全体の長さは、約８０ｃｍ位で、しゃがまずに使用できることが特徴である。
本発明は、マンション等のドアをチェンロック、アームロックを使用した状態で、ドアを開け通気が良くなる。
このドア挟み器を、ドアと玄関入り口との隙間に挟むことによって、ドアを施錠したまま、室内の通風を良くすることができる。
また、非常事には杖として使用できる様にヘッドの底部の面を取っている。
大きく、ドアを開放したとき、ドアストッパーとしても使用できる。
【発明の実施するための最良の形態】
【０００６】  本発明の実施するための最良の形態を説明する。
棒状のシャフト（２）の上部にグリップ（１）を設ける。
棒状のシャフト（２）の下部にヘッド（３）を設ける。
グリップ（１）の形状については、角状、棒状など、とくに限定しない。
ヘッド（３）の側面に、ドアと玄関入り口の隙間に、ピッタリ合うように、角度を設ける。
ヘッド（３）の底面に、角度を設ける。
ドア挟み具の全体の長さは、８００ｃｍ〜８５０ｃｍ位にする。
シャフト（２）の長さは、しゃがまずに差し込める程度の長さにする。
ヘッド（３）の部分（差し込み部分）の側面に、ドアと玄関入り口の隙間に、ピッタリ合うサイズにする。
本発明は以上のような構造で、次のように使う。
マンション等の玄関を開き、ドアにチェーンロック、アームロックをした後ドアを開け、ドア挟み器をその隙間に差し込む。
【実施例】
【０００７】  本発明の他の実施例を説明する。
たとえば、素材を木と竹などを使用しても良い。
インテリアとしても、玄関内に違和感がない。
木（松材）は、バーナーで焼いてあるので、腐食しにくく、板目が綺麗である。
また、木に絵を描くことで、インテリアとして使用できる。
本発明の木と竹の組み合わせで、その接着方法に特徴がある。
単に木と竹の断面に接着剤で接着したのみでは、衝激や引っ張りに弱い。
木の部分に竹の外径の穴を削り、その中に竹部分を埋め込み接着した場合や竹がやせてくることや杖として使用した場合、摩擦等から竹が抜けて使用不能となる。
そこで、本発明の製作方法として、竹部分の両先端の節目部分まで内径とほぼ同じ太さの木製のダボを埋め込み、接着剤で接着させる。
さらにそのダボに木製部品と接着させるための小径木製ダボ半分の長さ埋め込み接着させる。
その後、木製部品のダボ用穴にそれぞれ接着させる。
【図面の簡単な説明】
【０００８】
【図１】  本発明の斜視図である。
【図２】  本発明を分解した状態を示した説明図である。
【図３】  本発明の要部を拡大した断面図である。
【図４】  本発明の使用状態を示した説明図である。
【符号の説明】
【０００９】  １  グリップ（にぎりの部分）
２  シャフト
３  ヘッド
【図１】
2006090111.tif 000003
【図２】
2006090111.tif 000004
【図３】
2006090111.tif 000005
【図４】
2006090111.tif 000006
(57)【要約】【課題】  男子トイレの開放型の小用便器（１）密室型の大用洋式便器（２）女子トイレの洋式便器（２‘）のある共同トイレを設計する時、利用者のふれの為総個数やそれぞれの個数比を決めることが難しかった。【解決手段】  回転切替式兼用便器を用いて個数比を変更可能としすなわち（１）と（２‘）の比率を変更しかつエリア間仕切りを可変として利用者の男女のふれに対応した、又（１）と（２）の比率を変更しかつ回転切替と連動してその便器に合った環境（開放、密室）や表示にすることで男子大小のふれに対応した。【選択図】  図１
2006090112.tif 000002
【特許請求の範囲】
【請求項１】
複数の個室に回転切替式兼用便器を備えたトイレにおいて男女エリヤの間仕切りを可変としたトイレ。
【請求項２】
個室に回転切替式兼用便器を備えたトイレにおいて外側の便器パターンの表示又はドアーのオープンストオッパーが便器の切替と連動するトイレ。
【発明の詳細な説明】
【発明の詳細な説明】
【技術分野】
【０００１】本発明は合理的トイレシステムに関する。
【背景技術】
【０００２】従来洋式便器のある共同の大きなトイレでは、男子用は開放型の小用と密室型の大用女子用は男子大用と同じで、２種類で構成されている。
【発明が解決しようとする課題】
【０００３】１生理現象からくる大小のふれ、利用者の性別からくるふれにより設計者は便器個数をふれの最大値を念頭に多めにしなければならない。すなわち生理現象からくるふれとは学校やビルなどの男子トイレにおいて大小の利用比率が時間帯により変化するからである。大は朝通学出勤時と昼休みに混み小はその逆となる。又性別からのふれとは催物場や劇場等で催物の種類により利用者の性が一方に偏る場合一方は混んで順番待ちもう一方はガラガラとなる。
２男子トイレにおいて小が混んでくるとよく大の便座を撥ね上げて小用をたす人が多い。従来型洋式便器では構造上便座が汚れやすく後で便座を下ろして使う人は不快であった。この原因は構造上の他に密室化もある。密室内は照明がすこし暗くなることと密室による気の緩みもあり方向及び位置確認を怠りやすい。（大時は腰掛ける為位置決めは自動的に正しくなる。）従って男子トイレでは小便器は開放型が望ましいが男女エリア区別のないところでは密室化も求められる。そこで内の便器パターンを外に表示する必要が出てくる。
【課題を解決するための手段】
【０００４】切換式便器を用いて２種（大小）の個数比を変化可能とし、又男女の個数比を変化可能にする為男女のエリア間仕切りを移動出来るようにする。又便器の切替（回転）と連動してドアの開放状態の維持や表示を行い便器のパターンにあった環境を整える．
【実施例】
【０００５】請求項Ｉのような間仕切を設けず境界付近に予想されるふれの数の切替便器のある調整エリアを配しその両端にロック可能なエリアドアをつけてもよい（図４）（８）。その内側に任意の同じドア（図４）（９）をつければより細かな調整が出来る（閉めるドアは１つで他は開放）。又別途に調整用室を設け入り口に切替と連動する表示をつけてもよい。
この切替と表示は電動が便利である。同じく請求項ＩＩでも切替とドアストッパーや表示を電動で連動させるとよい。
【効果】
【０００６】仮に利用者の男女比が１：１とすると小の所要時間は平均１：３で当然便器の数も変えなければならない。単純計算でこのシステムを導入すれば便器個数は約３分の２で済む．従ってスペースの限られた新幹線や飛行機などの比較的小さなトイレでも総スペースの圧縮が可能となるので充分効果が発揮出来る．
【図面の簡単な説明】
【０００７】
【図１】  請求項Ｉの実施例１
【図２】  間仕切りの正面図
【図３】  間仕切りの側面図
【図４】  請求項Ｉの実施例２
【図５】  請求項ＩＩの実施例１（男女エリヤ区別あり）
【図６】  請求項ＩＩの実施例２（エリヤ区別なし）
【図７】  表示器
【図８】  ［図７］の側面図
【図９】  部品の正面図
【符号の説明】
【０００８】１  小便器  ２洋式便器（男子）  ２‘  洋式便器（女子）  ３  回転切替式兼用便器  ４  間仕切り  ５  車輪  ６ガイドローラー  ７  ストッパー  ８  エリアドアー  ９  ドアー  １０  個室ドアー  １１  ワイヤー  １２  回転の中心ｃ  １３  回転の半径ｌ（点線）  １４  表示器  １５  表示器の部品
【図１】
2006090112.tif 000003
【図２】
2006090112.tif 000004
【図３】
2006090112.tif 000005
【図４】
2006090112.tif 000006
【図５】
2006090112.tif 000007
【図６】
2006090112.tif 000008
【図７】
2006090112.tif 000009
【図８】
2006090112.tif 000010
【図９】
2006090112.tif 000011
【手続補正書】
【提出日】平成17年5月20日(2005.5.20)
【手続補正１】
【補正対象書類名】特許請求の範囲
【補正対象項目名】請求項１
【補正方法】変更
【補正の内容】
【請求項１】
複数の個室に切替式兼用便器を備えたトイレにおいて男女エリアの間仕切りを可変としたトイレ。
【手続補正２】
【補正対象書類名】明細書
【補正対象項目名】０００４
【補正方法】変更
【補正の内容】
【０００４】
【課題を解決するための手段】
切替式便器を用いて２種（大小）の個数比を変化可能とし、又男女の個数比を変化可能にする為男女エリア間仕切りを移動出来るようにする。又便器の切替と連動してドアの開放状態の維持や表示を行い便器のパターンにあった環境を整える。
(57)【要約】      （修正有）【課題】小規模建築物に限定することで、一つの構造形式で対応できる様々な空間規模・用途・機能・コスト等が、高レベルで一定基準を専門技術がなくても多様に達成できる、ハード・ソフトの多機能な総合性の架構形式を提供する。【解決手段】梯子状の柱・梁で小規模建築を一跨ぎにできる構造体をベタ基礎土間に固定した構造部の柱と梁の中空部分を収納やインテリア棚の他、梁の中空部は設備配管や機器の設置場所として利用でき、多様な建築用途に適応すると共に、規模変更や移転も可能なシステム構造であり、デザイン・耐久性・耐震性能などを一定レベルに保てる建築架構体とする。【選択図】図１
2006090108.tif 000002
【特許請求の範囲】
【請求項１】
平行四辺形をした柱・梁断面の四隅と４面を梯子状に連結させた形状につくり、梯子状の表面から断面中空部を見通し、柱梁で構成された建築の屋内空間とも融合した中空部を、建築設備や機器の設置場所並びに収納空間やインテリア棚などの用途としての空間機能に役立てる、構造部材と様々な空間を融合させて使用する架構体。
【請求項２】
請求項１の架構体により小規模建築空間の１方向を一跨ぎさせて使用する架構体。
【請求項３】
請求項１又は請求項２の、架構体の柱脚を、ベタ基礎の平床面に設置する構造形式。
【請求項４】
請求項３の柱脚とベタ基礎間に免震装置を装着させる構造形式。
【発明の詳細な説明】
【発明の詳細な説明】
【産業上の利用分野】
当件発明は、小規模建築に建築主・デザイナー・設計者・施工者・不動産業者などが、建設にそれぞれの主導性が発揮できる単純な建築システムで、様々な用途にも特徴がだせて、耐震性に優れ地震後の万一の修復が簡単な構造形式で、移築や部材の再利用も簡単にできる省資源で長期耐用型の構造形式とデザイン・コスト・耐久性・用途多様性・変化対応性のある建築物の供給を単純明快にして顧客満足度を高められる新たな建築産業を担う。
【背景技術】建築は様々なデザインと工法が複雑に構成されているが、高度な専門家で無くても単純にして高レベルな建築が低コストでありながら様々なデザイン・機能や性能が発揮できる総合的な建築技術のシステムがない、専門性の強い技術が多い。
【発明が解決しようとする課題】
小規模建築物に限定することで、一つの構造形式で対応できる様々な空間規模・デザイン・用途・機能・コスト等が、高レベルで一定基準を多様に専門技術出なく達成できる、ハード・ソフトの多機能な総合性の架構形式をつくることである。
【課題を解決するための手段】
小規模な建築の空間を一跨ぎに強固に創れる構造を作るためには、柱・梁がある程度大きくなるが、その面積が建築空間の無駄にならない様に梯子状の柱の中空部は室内空間と一体化され見通しの空間となり、収納部やイアンテリア棚並びに設備配管や機器設置場所としても使え、梁の中空部も空調機器やダクト並びに排水管の横引き空間にも利用でき、中空のまま天井が見通せる様に空間の一部にもできる。また、耐震性も工場製作の高い品質とサイズを大きくして効果的に確保される。
【作用】
デザイナーや専門の建築家が居なくても建築主や不動産業者が一定の建築品質を提供できる建築システムとして社会の市場性や流通性が活かされ普及できる。
【効果】
様々な技術レベルの建設業界や供給においての品質低下の底上げができる。
【図面の簡単な説明】
【図１】架構体のアイソメ図
【図２】柱の中空部分がインテリア棚に利用された状態図
【図３】梁の中空部が空調機器の設置場所に利用された図
【図１】
2006090108.tif 000003
【図２】
2006090108.tif 000004
【図３】
2006090108.tif 000005
(57)【要約】【課題】  高速自動車道、一般自動車道等の工事において、その工事個所の区分けをする時に用いるコーンをトラックの荷台から一人で無理なく簡単に、しかも所定の間隔をおいて連続的にコーンを設置する装置を提供する。【解決手段】  円筒形の本体の底部内側に傾斜をつけてローラーを設け、ローラーに対応して本体の底部側面にコーン送出窓を設ける。  本体の中央部内側に四角形の孔を有する角孔板を水平に設置し、角孔板の上に八角形の孔を有する可動板を回動自在に重ね合わせて設ける。  可動板の左右両端部は本体の中央部両側面に設けられた窓より本体の外側に突出して操作板を有し、操作板に操作棒が連結される。  本体の上方開口部よりコーンを複数個投入して、操作棒により可動板を回動させることにより、コーンは可動板の八角孔と角孔板の四角孔を通過してローラー上に１個ずつ落下してコーン送出窓より本体の外に排出される。【選択図】  図２
2006090105.tif 000002
【特許請求の範囲】
【請求項１】
円筒形の本体の底部内側に角度をつけてローラーを設け、ローラーに対応して本体の底部側面にコーン送出窓を設け、本体の中央部内側に四角形の孔を有する角孔板を水平に設置し、角孔板の上に八角形の孔を有する可動板を回動自在に重ね合わせて設け、可動板の左右両端部は本体の中央部両側面に設けられた窓より本体の外側に突出して操作板を有し、操作板に操作棒が連結され、本体の上方開口部よりコーンを複数個投入して、操作棒により可動板を回動させることにより、コーンは可動板の八角孔と角孔板の四角孔を通過してローラー上に１個ずつ落下してコーン送出窓より本体の外に排出される。
以上よりなるコーン設置器。
【発明の詳細な説明】
【技術分野】
【０００１】  本発明は、高速自動車道、一般自動車道等の工事において、その工事個所の区分けをする時に用いるコーンを連続的に路上に設置できる装置に関するものである。
【背景技術】
【０００２】  従来の方法では、トラックの荷台に積んであるコーンを一人ないしは二人の人間がひとつひとつ下ろしながら道路上に設置していた。
【発明の開示】
【発明が解決しようとする課題】
【０００３】  従来、手作業でコーンをトラックから降ろす作業であったために重労働になり、また危険なため手間や作業時間が多くかかっていた。
本発明は、以上の問題点を解決するためになされたものである。
【課題を解決するための手段】
【０００４】  円筒形の本体の底部内側に角度をつけてローラーを設け、ローラーに対応して本体の底部側面にコーン送出窓を設ける。本体の中央部内側に四角形の孔を有する角孔板を水平に設置し、角孔板の上に八角形の孔を有する可動板を回動自在に重ね重ね合わせて設ける。可動板の左右両端部は本体の中央部両側面に設けられた窓より本体の外側に突出して操作板を有し、操作板に操作棒が連結される。
本体の上方開口部よりコーンを複数個投入して、操作棒により可動板を回動させることにより、コーンは可動板の八角孔と角孔板の四角孔を通過してローラー上に１個ずつ落下してコーン送出窓より本体の外に排出される。
【発明の効果】
【０００５】  本発明は、トラックの荷台から一人で簡単に、しかも所定の間隔をおいて連続的にコーンを設置できる作業の効率化、省力化と安全性等を考慮した画期的な設置器である。
【発明を実施するための最良の形態】
【０００６】  以下、本発明の実施の形態について説明する。
（イ）上部が開口された円筒状本体（１）の底部内側にはローラー（７）が設置され、ローラー（７）に対応する本体（１）の下部側面にはコーン送出窓（９）が設けられている。
（ロ）本体（１）をトラックの荷台に吊り下げる時に利用される逆Ｌ字形の吊り具（２）は、本体（１）の上部外側に設けられている。
（ハ）本体（１）の内側上方開口部から中央部まで案内板（３）が設けられ、本体（１）の上方開口部よりコーン（８）を案内板（３）に沿って積み重ねて入れる。
（ニ）本体（１）の内側中央部にはコーン（８）の底板部（８ａ）の大きさと形状に対応する四角形の孔（５ａ）を有する角孔板（５）を水平に設け、角孔板（５）の上に可動板（４）が回動自在に重ねて設けられている。
（ホ）可動板（４）の中央部には、コーン（８）の底板部（８ａ）の大きさと形状に対応する八角形の孔（４ａ）が設けられ、左右両端部には操作板（４ｂ）が設けられ、操作棒用差込孔（４ｃ）がそれぞれ設けられている。
（ヘ）本体（１）の中央部側面に対抗して横長窓（１ａ）が設けられ、可動板（４）の左右両端部に設けられた操作板（４ｂ）は横長窓（１ａ）を貫通して本体（１）の外側に突出する。
（ト）操作棒（６）は、本体（１）の外側に突出した操作板（４ｂ）の操作棒用差込孔（４ｃ）に差し込んで取り付ける。
（チ）操作棒（６）を作動することにより、可動板（４）が回動しながらコーン（８）を移動させ、コーン（８）の底板部（８ａ）と角孔板（５）の四角孔（５ａ）と一致したところでコーン（８）が１個ずつ所定の間隔をおいてローラー（７）上に落下する。
（リ）ローラー（７）は、本体（１）の中央部から落下するコーン（８）が自動的にコーン送出窓（９）から送り出されるように傾斜して設けられている。
本発明は以上の構成よりなり、本発明を実際に使用する場合は以下のようになる。
１  本体（１）を吊り具（２）を利用してトラックの荷台にかける。
２  コーン（８）を案内板（３）にそって積み重ねて入れる。
この時、図３に示すように最下部のコーン底板部（８ａ）の四角い部分が可動板（４）の八角形のガイド孔（４ａ）にはまった状態になり、同時に角孔（５）の上に載っている。
３  この状態で操作棒（６）を手前に引くと、操作棒に連結した可動板（４）が回り出す。この時、積み重なった最下部コーンの底板の四角い部分が可動板（４）の八角形の孔にはまったままの状態になっているためコーン（８）も一緒に動きだす。
この時、回り出した最下部のコーン以外の上に積み重なったコーンは案内板で四方を押さえられているので収まったままで動かない。
４  さらに操作棒（６）を引き続けることによって可動板（４）は回転しながらコーン（８）を徐々に移動させてゆき、角孔（５）の四角孔（５ａ）と同じ向きになったコーン（８）は本体下部のローラー（７）上に落下する。
この時、積み重なった次のコーン（８）は順次落下して元のように積み重ねた状態になる。
５  ローラー（７）は傾斜になっている為、ここに落下したコーン（８）は滑りながら本体（１）から離れ、道路上に所定の間隔をおいて設置される。
６  この状態のまま、操作棒（６）を前方に押せば上記と同様の動作が繰り返され、次のコーン（８）が道路上に設置される。
【図面の簡単な説明】
【０００７】
【図１】本発明の斜視図
【図２】本発明の透視図
【図３】本発明のＡ部詳細図
【符号の説明】
【０００８】１    本体
１ａ  横長窓
２    吊り具
３    案内板
４    可動板
４ａ  可動板の八角孔
４ｂ  操作板
４ｃ  操作棒用差込孔
５    角孔板
５ａ  角孔板の四角孔
６    操作棒
７    ローラー
８    コーン
８ａ  コーンの底板部
９    コーン送出窓
【図１】
2006090105.tif 000003
【図２】
2006090105.tif 000004
【図３】
2006090105.tif 000005
(57)【要約】      （修正有）【課題】  旗や表示板、照明機器などに使われるポールを立てるスタンドにおいて、折り畳みが可能で差し込むポールの径も自由なスタンドを提供する。【解決手段】  台になる板を二枚重ねて、ポールを貫通させる穴を同じ位置に開ける。二枚の板の一部を可動できるように接合し、二枚の板は平行な状態から開いて、互いに角度が自由に変わる構造にする。二枚の板を平行にした状態でポールを穴に差し込んだ後に二枚の板を開いて角度を設けると、直角に差し込んだポールに対して穴の角度が変わり、穴が狭くなるのを利用して、ポールを固定する。二枚の板にはばねを利用して、開く力を加えておけばワンタッチでポールを固定できるし、ポールの太さが少々違っていても固定できる。二枚の板の角度が変わり、持ち上がったように台は立体になり、デザインの変化も加えられる。【選択図】  図４
2006090101.tif 000002
【特許請求の範囲】
【請求項１】
スタンド台に立てるポールをワンタッチで固定できるスタンド台において、ポールを通す穴をそれぞれに開けた上部支持板と下部支持板の一部をを接合して、その接合部付近を支点にして自由な角度に開くように配置し、相互の板の角度を変えて、相互の穴に通したポールを固定する事を特徴とするスタンド台。
【発明の詳細な説明】
【技術分野】
【０００１】  本発明は、ポールを立てるスタンド台に関するものである。
【背景技術】
【０００２】  従来のスタンド台では、その台の専用ポールを立てるか、叉は立てるポールの太さに合わせた専用の台がほとんどで、一つの台で太さの違うパイプをフリーサイズでワンタッチで差し換えられるスタンド台は無かった。また三脚式はデザイン面で自由が無く、基台式は折り畳みに不自由である。
【発明の開示】
【発明が解決しようとする課題】
【０００３】  旗や表示板、照明機具などを取り付けるスタンドで、ポールと台をワンタッチで着脱でき、折り畳めれば設置や保管が楽になる。また太さの違うパイプや棒などを一つの台で共用できるようにし、台も使用時に立体になりデザインが自由にできるスタンド台が望まれる。
【課題を解決するための手段】
【０００４】  そこで本発明は、台に二枚の板を配置して、互いに角度が変わる構造とし、二枚の板を平行にした時にそれぞれの板に開けた穴に一本のポールを通した後、二枚の板の角度を変えると、通したポールに対して穴が狭くなり、ポールが固定される。板の角度によりポールに対する穴の大きさが変化して、通すポールの太さが違っても固定される。台の板を足で踏むなどして操作すれば、ワンタッチでポールを交換でき、またそのまま畳むことが出来る。
【発明の効果】
【０００５】  本発明は、つぎに記載する効果を奏する。【０００６】  ポールと台をワンタッチで着脱できるので、保管性に優れたスタンド台である。【０００７】  長さの違うポールをワンタッチで差し換えて使うことができるスタンドである。【０００８】  太さの違うポールでもワンタッチで差し換え、固定できるフリーサイズのポールスタンドである。【０００９】  ワンタッチの操作は上部保持板を軽く踏み、手に持ったポールを保持板の穴に差し込んで、保持板から足を放すとポールは固定されるワンタッチタンドである。
【発明を実施するための最良の形態】
【００１０】
【００１１】  発明の実施図、図１は本発明のスタンドの側面図で、上下二枚の保持板の一端を可動できるように接合し、互いに角度を持って開く構造にする。二枚の保持板にはポールを通すための穴を貫通させ、互いに反発するようにばねを設ける。二枚の保持板を平行にした状態で貫通穴にポールを通した後に保持板をばねの力で反発させると、穴に通したポールは固定される。また、二枚の保持板を平行の状態にすると、穴からポールを抜き取る事が出来る。
【図面の簡単な説明】
【００１２】
【図１】  本スタンドの実施形態を示す側面図、ばねＤにより互いに反発した保持板Ａ，Ｂの貫通穴Ｆ，Ｆ′に通したポールＣが保持されて立っている状態を示した図である。
【図２】  本スタンドの側面図で、保持板Ａ，Ｂを平行に閉じた状態を示した図で、穴の向きが同じ方向を向いていて、ポールＣと穴Ｆの外周に隙間出来てＣを抜き取れる。
【図３】  本スタンドの側面図で、ポールＣを保持板Ａ，Ｂから抜き取った状態を示し、保持板Ａ，Ｂが、ばねＤの反発で開いている状態を示す図で、保持板の穴Ｆ，Ｆ′の向きがそれぞれ違う方向を向いている。
【図４】  本スタンドの実施の斜視図である。支持板Ａ，Ｂが開いて、ポールＣが固定されて立っている。
【符号の説明】
【００１３】Ａ  上部保持板
Ｂ  下部保持板
Ｃ  ポール
Ｄ  蝶番
Ｅ  ばね
Ｆ  上部保持板の穴
Ｆ′下部保持板の穴
【図１】
2006090101.tif 000003
【図２】
2006090101.tif 000004
【図３】
2006090101.tif 000005
【図４】
2006090101.tif 000006
(57)【要約】【課題】この発明は、長期再利用型フィルター採用のミクロの濾過換気を一戸建て、集合住宅、その他のビルシステムもしくは、乗り物等のような人が所在するスペースに作り付けられ、フィルターユニットが着脱容易な改善換気手段である。【解決手段】ウィンドー、ドア、換気口等の開口部分に着脱式のミクロの有孔性を持つフィルターを作り付ける。【選択図】  図１
2006090106.tif 000002
【特許請求の範囲】
【請求項１】
少なくとも一層からなる長期再使用可フィルター媒体は、窓、ドア、換気口等の開口のフレームに配置される改善された換気手段。
【請求項２】
フィルター媒体は、マイクロメーター有孔性を有する請求項１記載の換気手段。
【請求項３】
フレームが取り外しできるように配置されている請求項１記載の換気手段。
【請求項４】
フィルター媒体の有孔性が１ミクロンから１２０ミクロンの間である請求項１記載の換気手段。
【請求項５】
フィルターが織って作られた素材である請求項１記載の換気手段。
【請求項６】
長期再利用型濾過材料が、濾過された換気を目的とする請求項１記載のフレームに装置することを提供する改善された換気手段。
【請求項７】
フィルタ媒体の有孔性が、１ミクロンから１２０ミクロンに関する請求項６記載の換気手段。
【発明の詳細な説明】
【発明の詳細な説明】
【技術分野】
【０００１】  本発明は、換気手段に関連し、濾過素材を窓、ドア、換気口、単独の壁開口フレームもしくは、その他に人が所在するスペース等の開口部分に設置することにより、電動送風機使用の有無に係わらず、室内スペースにクリーン換気を提供することに関する。
【背景技術】
【０００２】  室内スペースの換気を行なう為に、電動式送風機によるものから、単にウィンドー或いはドアを開けておく等の様々な方法がある。【０００３】大型気孔のマットフィルター、主に空気中の粒子を捕らえる働きをし、廃棄、取り替えを必要とするファイバーグラスタイプを使用する機械的システムがある。（例えば、特開２００１−３１１３７２号、昭５９−２７１３８号、Ｃｅｃｉｌ  Ｇｏｒｄｏｎ  Ｖｏｋｅｓ，Ｂｒｉｔｉｓｈ  ６１６，４９７号参照）
【発明が解決しようとする課題】
【０００４】  電動式送風機による方法は、電力の使用を必要とするのに対し、単にウィンドウ或いはドアを開けておく方法は、どんなパワーをも必要としないが、泥、埃、花粉の進入を防止する方法としては不十分である。大型の気孔のマットフィルターは取り替え、廃棄の必要がある。
【０００５】  １９７０年代以来エネルギーコストが劇的に上昇した際、日本では建物がより緻密に造られるようになった。このより緻密な建設は、室内スペースの製品や建材から発生する有害なガスの蓄積に至って、シックビルディングシンドロームとして知られるような問題を生じさせた。
【課題を解決するための手段】
【０００６】改訂されたことに関し、現在の発明は、電動送風機使用の有無に係わらず、室内スペースにクリーン換気を提供する長期使用可能型で、使用が容易であり、また簡単に清浄できる濾過素材を、窓やドアまたは単独の壁開口フレーム、または人が所在するスペースに設置することから構成される。
【０００７】  濾過媒体の材料は、ポリエステル、ポリプロピレン、炭素配置されたファイバー等のプラスチック素材か、織って作られた金属、他の金属的な材料、ナノ構造材料等か、または単一素材による、もしくは複数による等、目的にふさわしい素材が使用される。
【発明を実施するための最良の形態】
【０００８】  この発明は、大型の気孔のマットフィルター、主に空気中の粒子を捕らえる働きをし、廃棄、取り替えを必要とするファイバーグラスタイプを使用する機械的システムに代わる、ビルシステム、換気システムの改良である。現在の発明は、通常埃の粒子を捕獲するのではなく、撥ね除ける長期使用の少なくとも一層からなるミクロン濾過素材であり、この材料は、定期的に清浄し再使用する為に、ウィンドーフレーム、ドア、他のオープニングフレームから容易に着脱できることを意図するものである。【０００９】  網戸を含む多くのウィンドーとドアに関する換気は、ほとんどの小さな空気中の粒子侵入防止には役立たない。現在の発明は、気孔サイズが１ミクロンから１２０ミクロンのミクロのスクリーン、もしくは、ほとんどの空気中の泥、埃、また、スギ花粉のようなアレルギー源を持つ花粉が侵入しない穴のサイズでの換気手段である。【００１０】  この発明は電動送風もしくは他の電気のデバイス使用することなく働くが、組み合わせも考えられる。素材は、平らかもしくは濾過面積を大きくする為のプリーツ加工が考えられる。発明は継続的な換気をもたらす為に使用されるか、花粉症シーズンのような必要性が高い期間の間のみの使用が考えられる。単独で使用されるか、機械システム、ウィンドーやドアを開ける等の他のシステムと関連した使用が考えられる。
【実施例】
【００１１】  ウィンドーユニット１は、構造の一部となっている、換気を提供するフィルター素材３が張られたフレーム２を持つ物である。フレームの一片は、換気の量を調整を目的とし、風通しや通気孔閉鎖／ルーバーを開閉するために、ドア４で覆われる。図に表示されている独立したもの、もしくは図に掲載されていないが送風機との同時使用が考えられる。ウィンドウのサイドに垂直、もしくはウィンドウの上部に水平に構成設置される。【００１２】  取り外し可能なミクロのスクリーン２は、バネクリップ５、掛金，スナップ式止め金、もしくは単にフィットする方法等で、容易に取り外しやメインテナンスできることが好ましく、様々な方法によりウィンドウ（ドア、開いたままのフレーム）のフレームに取り付けられることが考えられる。
【発明の効果】
【００１３】  この発明の主要な目的は、定期的に清浄し再使用することが可能で、ウィンドーフレーム、ドア、他の開口フレームから容易に着脱できる。
【００１４】  この発明は、より良い実用的製品として、きれいな空気をウインドーやドア、換気口より直接取り入れることが可能である。シックビルディングシンドローム防止の為の換気や、外気より侵入する花粉やほこりによるアレルギー防止に役立つ。
【００１５】  フィルターにミニプリーツを施し取り付けることにより、開口のサイズに対し、通風表面面積を増やすことができ、換気量の調節範囲を最大にすることができる。
【図面の簡単な説明】
【００１６】
【図１】  標準のタイプのスライド式ウィンドーの発明の可能な形状、構成の一例の正面図である。
【図２】  ウィンドーフレームのセクションＡ部分の拡大詳細横断面図である。
【図３】  フィルター素材をプリーツ加工した、図２の代用フィルターユニットの横断面図である。
【符号の説明】
１  ウインドーユニット
２  フレーム
３  フィルター素材
４  ドア
５  バネクリップ
６  代用フィルターフレーム
７  プリーツ加工されたフィルター素材
【図１】
2006090106.tif 000003
【図２】
2006090106.tif 000004
【図３】
2006090106.tif 000005
(57)【要約】 【課題】  鉄塔の昇塔防止装置８の上部に腹材５を足場として昇る不都合を解決する。【解決手段】  結構２の節点３に鉄塔の昇塔防止装置８取付金具１０を使用することにより，この課題を解決する。【選択図】図１
2006090102.tif 000002
【特許請求の範囲】
【請求項１】
鉄塔１の昇塔防止装置８を，鉄塔１の結構２の節点３に取付可能とする取付金具１０。
【発明の詳細な説明】
【技術分野】
【０００１】  本発明は，鉄塔１の昇塔防止装置８の取付金具１０に関するものであり，取付金具１０を用いることで鉄塔１への昇塔を難しくしたものである。
【背景技術】
【０００２】  従来から，鉄塔１への昇塔防止として水平方向に放射状に張出した鉄塔昇塔防止装置の鉄棒９を鉄塔主材４を中心として設置している。
【発明の開示】
【発明が解決しようとする課題】
【０００３】  しかし，従来のような鉄塔腹材５がある箇所は凹凸があるために取付不可能な構造では，鉄塔の結構２の内部へ昇塔防止装置８の一部が入る。このため，鉄塔腹材５を足場として昇塔防止装置８の上部に移動しやすい欠点がある。本発明は，昇塔防止装置８の上部に移動しやすいという不都合を解決することを課題とする。
【課題を解決するための手段】
【０００４】  この課題を解決するための請求項１の発明は，昇塔防止装置８の取付位置を鉄塔腹材５がある結構２の節点３とすることを特徴とする，昇塔防止装置８の取付金具１０である。
この取付金具１０を固定用ボルト１１，固定用鉄棒１２により鉄塔の腹材５の外側に取付ることで，鉄塔の結構２の節点３に昇塔防止装置８の取付が可能となりより効果的に昇塔防止が行える。
【発明の効果】
【０００５】  本発明の取付金具１０は，昇塔防止装置８を鉄塔の腹材５から離れた位置に取付可能となり，本発明により，鉄塔への昇塔が難しくなる。
【発明を実施するための最良の形態】
【０００６】  図１は，鉄塔の腹材５の外側に昇塔防止装置８の取付金具１０を設けることを特徴とする取付金具１０の断面図である。同図に示すように取付金具１０を設置することにより鉄塔の腹材５の外側に垂直な面が生まれ，昇塔防止装置８の取付が可能となる。
【産業上の利用可能性】  本発明に係る取付金具１０は，工業的に量産する事が可能であるため，産業上の利用可能性を有する。
【図面の簡単な説明】
【０００７】
【図１】      取付金具１０を取付，昇塔防止装置８を設置した断面図である。
【図２】      昇塔防止装置８の従来型と，取付金具１０を用いた場合の取付位置を示しな鉄塔構造の正面図である。
【図３】      昇塔防止装置８の従来型の平面図である。
【図４】      昇塔防止装置８に取付金具１０を組合せた平面図である。
【図５】      昇塔防止装置８に取付金具１０を組合せた右側面図である。
【図６】      昇塔防止装置８に取付金具１０を組合せた正面図である。
【符号の説明】
【００８】１    鉄塔
２    結構
３    節点
４    主材
５    腹材
６    昇塔防止装置の従来の取付位置
７    取付金具を用いた場合の昇塔防止装置の取付位置
８    昇塔防止装置
９    昇塔防止装置の鉄棒
１０  取付金具
１１  固定用ボルト
１２  固定用鉄棒
【図１】
2006090102.tif 000003
【図２】
2006090102.tif 000004
【図３】
2006090102.tif 000005
【図４】
2006090102.tif 000006
【図５】
2006090102.tif 000007
【図６】
2006090102.tif 000008
【手続補正書】
【提出日】平成17年9月5日(2005.9.5)
【手続補正２】
【補正対象書類名】明細書
【補正対象項目名】０００３
【補正方法】変更
【補正の内容】
【０００３】
しかし，従来のような鉄塔腹材５がある箇所は凹凸があるために取付は，鉄塔の結構２の内部へ昇塔防止装置８の一部が入る位置となる。このため，鉄塔腹材５を足場として昇塔防止装置８の上部に移動しやすい欠点がある。本発明は，昇塔防止装置８の上部に移動しやすいという不都合を解決することを課題とする。
【手続補正３】
【補正対象書類名】明細書
【補正対象項目名】０００６
【補正方法】変更
【補正の内容】
【０００６】
図１は，鉄塔の腹材５の外側に昇塔防止装置８の取付金具１０を設けることを特徴とする取付金具１０の断面図である。同図に示すように取付金具１０を設置することにより鉄塔の腹材５の外側に矩形状の平面が生まれ，昇塔防止装置８の取付が可能となる。
【手続補正４】
【補正対象書類名】図面
【補正対象項目名】全図
【補正方法】変更
【補正の内容】
【図１】
2006090102.tif 000009
【図２】
2006090102.tif 000010
【図３】
2006090102.tif 000011
【図４】
2006090102.tif 000012
【図５】
2006090102.tif 000013
【図６】
2006090102.tif 000014
【手続補正書】
【提出日】平成17年9月30日(2005.9.30)
【手続補正１】
【補正対象書類名】図面
【補正対象項目名】図５
【補正方法】変更
【補正の内容】
【図５】
2006090102.tif 000015
(57)【要約】      （修正有）【課題】  従来の遮音性、断熱性、耐震性、防犯性等の性能を損なうことなく、地震により出入口の玄関扉が万一開かなくなった時に女性や子供等の弱者でも容易かつ確実に脱出ができ、しかも既存の建物にも普及できる玄関扉を開発することである。【解決手段】玄関扉２の下部に、大人が楽に出入りできる程度の大きさの脱出口５を設けた集合住宅の玄関扉。【選択図】図２
2006090107.tif 000002
【特許請求の範囲】
【請求項１】
地震により出入口の玄関扉が建物のゆがみ等により開かなくなった場合、室内にいる人が容易かつ確実に外に出られるよう玄関扉の下部に脱出口を有するマンション等集合住宅の玄関扉
【請求項２】
脱出口５と脱出口取付枠７のあたり面に遮音性、断熱性を確保するためのゴムパッキン１０、ピッキング等の犯罪防止の観点から脱出口５を内側からのみ開閉できる脱出口開閉レバー８、耐震強度を確保するための脱出口取付枠７等を有する請求項１記載のマンション等集合住宅の玄関扉
【発明の詳細な説明】
【発明の詳細な説明】
【技術分野】
【０００１】  本発明は、マンション等集合住宅の各戸に設置してある出入口の玄関扉が地震による建物のゆがみ等により万一開かなくなったときでも容易かつ確実に外に脱出できる玄関扉に関する。
【背景技術】
【０００２】  マンション等集合住宅の各戸に設置してある出入口の玄関扉については、遮音性、断熱性、防犯性、耐震性等の向上のため、一般的にはスチール、アルミ等の金属と断熱・遮音材を使用した扉が多く見受けられるが、地震により出入口の扉が建物のゆがみ等により開かなくなった場合、室内にいる人は容易に外に出られなくなってしまう。（集合住宅については、ベランダから隣へ避難路が確保されていることになっているが、実際にはベランダに物を置いてある場合が多く、万一の時に迅速かつ確実に避難できるか疑わしい。）また、近年の犯罪の増加に対処するため、外部から容易に侵入できないよう窓に防犯用の格子を施した部屋も多く見られるようになってきたことから、一層外部への脱出は困難となってきている。更に、女性、子供、お年寄り等の弱者が部屋の中に取り残された場合は、脱出が極めて困難と言わざるを得ない。【０００３】  このため、従来は建物自体の耐震性を向上させるようにしてきたが、これには建物全体の耐震補強工事または建物自体の立て替えしかなく、マンション等の集合住宅では全員または多数の同意を得て対策を講じることは現実的にはなかなかできないため、既存の建物については十分な対策がなされていないのが現状である。
【発明が解決しようとする課題】
【０００４】  従来の遮音性、断熱性、耐震性、防犯性等の性能を損なうことなく、地震により出入口の玄関扉が万一開かなくなった時に女性や子供等の弱者でも容易かつ確実に脱出ができ、しかも既存の建物にも普及できる玄関扉を開発することである。
【課題を解決するための手段】
【０００５】  従来の遮音性、断熱性、耐震性、防犯性等の性能を損なうことなく、マンション等集合住宅の各戸で見られる出入口の玄関扉が地震により開かなくなった時でも大人が楽に出入りできる程度の大きさの脱出口を設けた玄関扉を開発し、既存マンションの場合は扉の取り替え、新設マンションについては新たに設置する。
【発明を実施するための最良の形態】
【０００６】  発明の実施の形態を実施例に基づき図面を参照して説明する。
まず図１は本玄関扉を表側から見た図面である。一般的に玄関扉は縦１８０ｃｍ、横８０ｃｍ程度の大きさになっていることを踏まえ、本玄関扉は、従来の玄関扉枠１、玄関扉２、玄関扉蝶番３、扉開閉のぶ４からなる既存玄関扉の下部に、室内に閉じこめられた人が外部に脱出できるよう縦６０ｃｍ、横５０ｃｍ程度の大きさの脱出口５及びそれを取り付けるための脱出口取付枠７等からなる。また、マンション等集合住宅の玄関扉であることを踏まえ、外見上はほとんど従来の玄関扉と変わらない構成となっている。【０００７】  次に図２は本玄関扉を裏側から見た図面である。脱出口取付枠７は地震による建物のゆがみにより玄関扉２に荷重がかかっても脱出口５の開閉に支障がでないようスチール製とし、玄関扉２と溶接等により一体構造にして耐震強度を持たせ、この枠に脱出口５を脱出口開閉蝶番６を介して開閉可能になるように取り付け、脱出口開閉レバー回転軸９を中心に脱出口開閉レバー８を下向き（女性や子供等力の弱い人でも、下向きであれば足でレバーを踏んで体重をかければ容易にレバーを回すことができる）に回すことにより脱出口取付枠７との引っかかりがはずれ脱出口５が外側に開く構造となっている。なお、脱出口開閉レバー８はピッキング等の犯罪防止の観点から、玄関扉２の裏側のみに取り付けてある。【０００８】  最後に図３は本扉の側面断面図である。従来の遮音性、断熱性を損なわないようにするため、脱出口５と脱出口取付枠７とのあたり面にはゴムパッキン１０を取り付けるとともに、玄関扉２及び脱出口５の内部には遮音・断熱材１１を充填してある。【０００９】  なお、一般的に玄関扉には新聞等の挿入口が付いていることから、必要に応じて脱出口５に新聞等の挿入口及び受台を取り付けるとよい。また、本玄関扉はマンション等集合住宅について述べてきたが、もちろん一戸建ての住宅や事務所等の玄関扉に取り付けてもよい。【００１０】  次に、具体的な機能・作用を説明すると、本玄関扉は普段は従来の玄関扉とまったく同様に使用し、地震による建物のゆがみ等により万一扉が開かなくなった時でも、脱出口開閉レバー８を下に回してロックを解除して脱出口５を外側に開いて脱出をするという至って簡単な機能・作用となっている。【００１１】  ただし、本玄関扉については、従来の遮音性、断熱性、耐震性、防犯性等の性能を損なわないよう、脱出口５と脱出口取付枠７とのあたり面にはゴムパッキン１０を取り付け、脱出口開閉レバー８は脱出口取付枠７とのひっかかり面をテーパ状にすることにより、上向きに回すほど脱出口５が脱出口取付枠７に強く押しつけられるようになるとともに、ピッキング等の犯罪防止の観点から脱出口５は玄関扉の内側の脱出口開閉レバー８のみにより開閉が可能としてある。
【図面の簡単な説明】
【図１】本玄関扉の表側正面図である。
【図２】本玄関扉の裏側正面図である。
【図３】本玄関扉の断面図である。
【符号の説明】
１．玄関扉枠
２．玄関扉
３．玄関扉蝶番
４．玄関扉開閉のぶ
５．脱出口
６．脱出口開閉蝶番
７．脱出口取付枠
８．脱出口開閉レバー
９．脱出口開閉レバー回転軸
１０．ゴムパッキン
１１．遮音・断熱材
【図１】
2006090107.tif 000003
【図２】
2006090107.tif 000004
【図３】
2006090107.tif 000005
(57)【要約】【課題】            地中埋設などの際に生じる土圧などの耐圧縮荷重や扁平性能に優れ、角形状の部分の強度低下を最小限に抑えることができ、さらには、平行収束配設時に、平行な収束姿勢を維持できる波形可撓管を提供する。【解決手段】        波形可撓管は内管と外管で構成している。外管は内管と密着して形成した耐荷重部と内管の間に空間を形成した配設平坦部を形成している。配設平坦部は耐荷重部を構成する３ピッチの波形毎に配置している。耐荷重部と配設平坦部の高さは同じ高さに設定している。【選択図】          図１
2006090435.tif 000002
【特許請求の範囲】
【請求項１】
内管と外管で形成される波形状の可撓管であって、前記可撓管が前記内管と前記外管を密着形成した耐荷重部と、前記内管と前記外管の間に空間を形成した配設平坦部で構成され、前記耐荷重部の断面形状が前記内管及び前記外管共に円形状を形成し、また、前記配設平坦部の断面形状が前記内管は円形状を形成し、前記外管は角形状を形成したことを特徴とする波形可撓管。
【発明の詳細な説明】
【技術分野】
【０００１】
本発明は、地中や地上など屋内外の配設または埋設されるケーブルなどを保護する波形可撓管に関するものである。
【背景技術】
【０００２】
従来、ケーブル保護などに使われる可撓管は、凹凸の波形状の山部に金属帯を挿入して耐圧性を重視した可撓管の開発が進められてきた。しかし、このような可撓管は複数重ね合わせて配設するといった配設性能については全く考えられていなかった。近年、通信技術の発展に伴い光ファイバーケーブルなどの需要が増え、例えば、特開平８−２１９３３記載の合成樹脂波形管のような、いかなる場所に配設しても安定性よく配設でき、位置決めが容易にできる可撓管が求められてきている。
【特許文献１】特開平８−２１９３３３
【発明の開示】
【発明が解決しようとする課題】
【０００３】
しかしながら、このような可撓管では地中埋設の際に生じる土圧等による圧縮荷重に耐えるようにするためには角形状の部分に余分な肉厚が必要となるなど、圧縮荷重に耐えるものではなかった。
【課題を解決するための手段】
【０００４】
上記問題を解決するため本発明者らは、鋭意研究を重ねた結果、従来全く考えられていなかった角形状の部分の内管を円形状にすることで、角形状の部分の耐衝撃性、耐圧縮荷重などの強度低下を最小限に抑えることができるといった効果を知見し、本発明を完成するに至ったものである。
【０００５】
すなわち、本発明は、内管と外管で形成される波形状の可撓管であって、前記可撓管が前記内管と前記外管を密着形成した耐荷重部と、前記内管と前記外管の間に空間を形成した配設平坦部で構成され、前記耐荷重部の断面形状が前記内管及び前記外管共に円形状を形成し、また、前記配設平坦部の断面形状が前記内管は円形状を形成し、前記外管は角形状を形成したものである。
【０００６】
本発明は、従来の波形状の可撓管では考えられなかった、内管と外管を密着形成することで、耐荷重部の管壁が肉厚となり、土圧などの耐圧縮荷重や扁平性能を向上することができる。また、内管と外管の間に空間を形成した配設平坦部では、内管を円形状にすることで、角形状の部分の強度低下を最小限に抑えることができる。また、平行収束配設時に、角形状同士および円形状同士が密接するため、平行な収束姿勢を維持できる。
【発明の効果】
【０００７】
本発明によれば、地中埋設などの際に生じる土圧などの耐圧縮荷重や扁平性能に優れ、角形状の部分の強度低下を最小限に抑えることができる。さらには、平行収束配設時に、平行な収束姿勢を維持できる。
【発明を実施するための最良の形態】
【０００８】
以下、本発明による波形可撓管について実施例を参照して説明する。
【実施例】
【０００９】
図１は本発明の波形可撓管の全体図であり、波形可撓管１は螺旋状に形成されており、内管２と外管３で構成されている。外管３には内管２と密着して形成した耐荷重部４と内管２の間に空間６を形成した配設平坦部５が形成されている。配設平坦部５は耐荷重部４を構成する３ピッチの波形毎に配置されている。なお、配設平坦部５の配置間隔は上記に限られず、任意に設定することができる。耐荷重部４と配設平坦部５の高さは同じ高さに設定されている。
【００１０】
図２は図１のＡ−Ａ矢視断面図であり、内管２は円形状に形成されている。外管３は角形状に形成されている。内管２と外管３の間には空間６が形成されている。
【００１１】
図３は図１のＢ−Ｂ矢視断面図であり、内管２と外管３は密着して共に円形状に形成されている。
【００１２】
図４は図１の配設例を示した図であり、波形可撓管１が４本、地中７に平行収束配設されている。波形可撓管１は、耐荷重部４同士と配設平坦部５同士が各々密接されている。
【００１３】
本発明は上記実施例に限定されるものではなく、例えば、図５のように配設平坦部５の高さを耐荷重部４の高さより高く（ｔ）設定することもできる。また、図６のように波形可撓管１の波形をリング状に形成することもできる。また、図示はしないが、外管や内管の外周または内周に保護層を設けることもできる。
【図面の簡単な説明】
【００１４】
【図１】本発明の実施例の波形可撓管の全体図。
【図２】図１のＡ−Ａ矢視断面図。
【図３】図１のＢ−Ｂ矢視断面図。
【図４】図１の配設例を示した図。
【図５】本発明の他の実施例の全体図。
【図６】本発明の他の実施例の全体図。
【符号の説明】
【００１５】
１  波形可撓管
２  内管
３  外管
４  耐荷重部
５  配設平坦部
６  空間
７  地中
ｔ  高さ
【図１】
2006090435.tif 000003
【図２】
2006090435.tif 000004
【図３】
2006090435.tif 000005
【図４】
2006090435.tif 000006
【図５】
2006090435.tif 000007
【図６】
2006090435.tif 000008
(57)【要約】【課題】   従来、締め付けボルトの緩み止め方法は  数種類あるが  どれも緩まない信頼    性に  欠けるところが大きい。また部品の取り付け  取り外しを繰り返すとその効力を失うことがある。【解決手段】  ボルトのねじ部にすり割を設け  クサビ機能によりボルトの緩み止めを妨ぐことに特徴を持つボルトで  効力は何度でも持続する。またスプリングワッシャ、  平ワッシャ等の  購入品が不要となる。 【選択図】図１
2006090483.tif 000002
【特許請求の範囲】
【請求項１】
クサビ機能の緩み止めを有した締め付けボルト。
【請求項２】
ボルトのねじ部にすり割を設けクサビ機能によりねじ部を広げ  その
効力で雌ねじとの摩擦が増大し  ボルトの緩みを妨げることに特徴を持つ締め付けボルト。
【発明の詳細な説明】
【技術分野】
【０００１】
この発明は、ボルトの緩み止めの方法に関する。
【背景技術】
【０００２】
従来の緩み止めボルトの方法  
１）スプリングワッシャ、樹脂ワッシャ等と一緒に使用する方法       
２）ねじ部の一部に非鉄を埋め込み摩擦を増やす方法  
３）ボルト締め付け後  接着剤を塗布する方法
【発明の開示】
【発明が解決しようとする課題】
【０００３】
しかしながら、以上の技術によれば、何度も取り付け  取り外しを繰り返すと効力
が薄れる傾向にあり  信頼性に欠けるところがある。
そこで、この発明は、緩み止めボルトの緩まない信頼性の増大を課題にする。
【課題を解決するための手段】
【０００４】
以上の課題を解決するために、第一発明は、クサビ機能の緩み止めを有したことを
特徴とする締め付けボルトである。
また、第二発明は、ねじ部にすり割を設けクサビ機能によりねじ部を広げ  その
効力で雌ねじとの摩擦が増大しボルトの緩みを妨げることに特徴を持つボルトである。
【発明の効果】
【０００５】
１）第一発明、または第二発明によれば、ボルト締め付け後  ボルトが緩みずら
く、取り付け  取り外しを繰り返してもその効力は薄れない。 
２）緩み止め防止として使われているスプリングワッシャ  平ワッシャ等が  不
要となる。
【発明を実施するための最良の形態】
【０００６】
この発明の一実施形態を、図１に示す。
締め付けボルトは2部品からなり外側をアウターボルト内側をインナーボルト 
とする。
【０００７】
「実施形態の効果」
この実施形態によれば、普通のボルトからＶ型緩み止めボルトに交換したとき
部品の追加工  新たな購入部品等の工数が不要で緩み止め効果が期待できる。
【図面の簡単な説明】
【０００８】
【図１】この発明の実施形態を示す3面図である。
【図２】部品を取り付けた状態
【符号の説明】
【０００９】
１、インナーボルト  ２、アウターボルト  ３、ナット
【図１】
2006090483.tif 000003
【図２】
2006090483.tif 000004